(57)【要約】      （修正有）【課題】化粧鏡の自動曇り除去装置の提供。【解決手段】化粧鏡の自動曇り除去装置は、少なくとも、光電センサー10、曇り除去制御回路20、曇り除去加熱器30を含んでおり、その内光電センサー10は、化粧鏡鏡面背面に設置し、光電センサー10が化粧鏡鏡面の曇り状態を感知すると、センサー信号13を出力、また曇り除去制御回路20は、光電センサー10に接続して、光電センサー10が出力する化粧鏡鏡面が曇っているというセンサー信号13を入力し、並びに化粧鏡鏡面の曇り状態において自動的に曇り除去加熱信号231を出力するものであり、また曇り除去加熱器30は、鏡面背面に結合し、且つ曇り除去制御回路20に接続し、曇り除去制御回路20の曇り除去加熱信号231制御を受けて化粧鏡鏡面に曇り除去加熱を行うものであり、化粧鏡鏡面の曇り除去後は、光電センサー10のセンサー信号13がフィードバックする故、曇り除去制御回路20は自動的に曇り除去加熱器30をオフにする。【選択図】図５
0003131120.tif 000002
【実用新案登録請求の範囲】
【請求項１】
化粧鏡の自動曇り除去装置は、少なくとも、化粧鏡背面に設置し、化粧鏡鏡面の曇り状態を感知、センサー信号を出力する光電センサーと、
光電センサーに接続し、光電センサーが出力した化粧鏡鏡面の曇り状態のセンサー信号を受信し、化粧鏡鏡面の結霧状態を判断、並びに相対する曇り除去加熱信号を出力する、曇り除去制御回路と、
化粧鏡背面に結合し、曇り除去制御回路に接続し、曇り除去制御回路が出力した曇り除去加熱信号を受信し、化粧鏡鏡面に対し曇り除去加熱を行うか曇り除去加熱を中止する、曇り除去加熱器と、により構成されることを特徴とする化粧鏡の自動曇り除去装置。
【請求項２】
請求項１記載の化粧鏡の自動曇り除去装置において、前記光電センサーは少なくとも、送信器と受信器を具えることを特徴とする化粧鏡の自動曇り除去装置。
【請求項３】
請求項２記載の化粧鏡の自動曇り除去装置において、前記光電センサーの送信器は送信信号を送信することを特徴とする化粧鏡の自動曇り除去装置。
【請求項４】
請求項２記載の化粧鏡の自動曇り除去装置において、前記光電センサーの受信器は反射信号を受信することを特徴とする化粧鏡の自動曇り除去装置。
【請求項５】
請求項１記載の化粧鏡の自動曇り除去装置において、前記曇り除去制御回路は、
光電センサーに接続して光電センサーを駆動し、並びに光電センサーが出力したセンサー信号をデジタル信号に変換して出力するセンサーインターフェース回路と、
センサーインターフェース回路に接続して、デジタル信号を受信、デジタル信号によって化粧鏡鏡面表面が結霧しているかどうかを判断、並びに曇り除去駆動信号を出力する、マイクロ処理器と、
マイクロ処理器に接続し、マイクロ処理器が出力した曇り除去駆動信号を受信、並びに曇り除去駆動信号に基づき曇り除去加熱信号を出力する、駆動回路と、
センサーインターフェース回路、マイクロ処理器、駆動回路が必要とする直流作業電源を提供する、電源供給器とにより構成されることを特徴とする化粧鏡の自動曇り除去装置。
【請求項６】
請求項５記載の化粧鏡の自動曇り除去装置において、前記電源供給器は直流電池であることを特徴とする化粧鏡の自動曇り除去装置。
【請求項７】
請求項５記載の化粧鏡の自動曇り除去装置において、前記電源供給器は交直流電源変換器であることを特徴とする化粧鏡の自動曇り除去装置。
【請求項８】
請求項１記載の化粧鏡の自動曇り除去装置において、前記曇り除去加熱器は印刷電熱線であることを特徴とする化粧鏡の自動曇り除去装置。
【考案の詳細な説明】
【技術分野】
【０００１】
本考案は、特に、室内および化粧室の化粧鏡に応用し、自動的に鏡面の曇り状態を感知し曇り除去加熱器スイッチのオンオフ操作を行う化粧鏡の自動曇り除去装置を提案するものである。
【背景技術】
【０００２】
現在、化粧鏡は、室内住まいにおいて寝室や洗面所など広範囲に使用されており、使用者は化粧鏡を用いて身なりを整えることができる。しかし公知の化粧鏡は、室内の温度変化や外界気候の暑さ寒さの変化によって鏡面が曇る問題が存在し、使用者は自分で拭き取らなければならず、化粧鏡を使用する上での不便と面倒を引き起こしている。
公知の化粧鏡には、曇り除去をする為に電熱器を設置して鏡面を加熱し曇り除去機能を持たせているものもあるが、その曇り除去加熱設備は簡単すぎるもので、一つの電気スイッチによって加熱器を制御し化粧鏡鏡面に加熱を加えるものであり、人工的に自分で操作をする方法であることから、操作の不便を招き、不当操作の鏡面過度加熱により亀裂、配線燃焼、過大な電力消費、湿気による感電危険性等を引き起こしている。
【０００３】
また、特許文献１および特許文献２が、電気抵抗に接触する形態の温度および湿度電気抵抗器を、化粧鏡鏡面に密着設置したものであり、電機抵抗器が熱や湿気を受けて抵抗値が変化することによって化粧鏡鏡面の曇り状態を感知するが、この種の公知自動曇り除去装置は、温度や湿度を感知する電気抵抗器が鏡面に密着し鏡面に露出していなければならず、取り付けの困難性と、高価な大量取り付けコストの必要性を招き、化粧鏡表面の美観を損なう問題が残り、且つ、温度および湿度センサー電気抵抗器は、曇り除去器自身の加熱温度と電気抵抗器材料の誤差が容易に深刻な誤差要素となり、化粧鏡鏡面の曇り除去効果の不良や作動ミス発生を引き起こす結果となっている。
【０００４】
【特許文献１】台湾実用新案第134733号明細書
【特許文献２】台湾実用新案第227336号明細書
【考案の開示】
【考案が解決しようとする課題】
【０００５】
本考案は、光電センサーを具え、化粧鏡面と隔離し接触しない方法によって、化粧鏡鏡面の曇り状態を精確に感知する効果を持つ、化粧鏡の自動曇り除去装置の提案を最も主な目的とする。
【０００６】
また、本考案は、曇り除去制御回路および曇り除去加熱器を具え、その曇り除去制御回路は光電センサーおよび曇り除去加熱器に連結して、光電センサーが感知した化粧鏡鏡面の曇り状態を入力し、並びに、曇り除去加熱器を制御して化粧鏡鏡面の曇り除去作業を行わせ、更に、光電センサーが化粧鏡鏡面の曇り状態をフィードバックすることにより閉回路の化粧鏡鏡面自動曇り除去効果を達成する、化粧鏡の自動曇り除去装置の提案を次の目的とする。
【０００７】
上述の目的達成のため、本考案の化粧鏡の自動曇り除去装置は、少なくとも、光電センサー10、曇り除去制御回路20、曇り除去加熱器30を含み、その内、光電センサー10は、化粧鏡鏡面背面に設置し、光電センサー10が化粧鏡鏡面の曇り状態を感知すると、センサー信号13を出力、また、曇り除去制御回路20は、光電センサー10に連結して、光電センサー10が出力した化粧鏡鏡面が曇ったというセンサー信号13を入力し、並びに、化粧鏡鏡面の曇り状態において、自動的に曇り除去加熱信号231を出力、また曇り除去加熱器30は、鏡面背面に結合し、且つ、曇り除去制御回路20に接続、曇り除去制御回路20の曇り除去加熱信号231制御を受けて化粧鏡鏡面に曇り除去加熱を行い、並びに、化粧鏡鏡面の曇りを除去した後、光電センサー10のセンサー信号13はフィードバックし、曇り除去制御回路20は自動的に曇り除去加熱器30をオフにすることにより、本考案は化粧鏡鏡面の曇り状態を自動的に感知し、曇り除去機能をオンオフする効果を達成する。
【課題を解決するための手段】
【０００８】
請求項１の考案は、化粧鏡の自動曇り除去装置は、少なくとも、化粧鏡背面に設置し、化粧鏡鏡面の曇り状態を感知、センサー信号を出力する光電センサーと、
光電センサーに接続し、光電センサーが出力した化粧鏡鏡面の曇り状態のセンサー信号を受信し、化粧鏡鏡面の結霧状態を判断、並びに相対する曇り除去加熱信号を出力する、曇り除去制御回路と、
化粧鏡背面に結合し、曇り除去制御回路に接続し、曇り除去制御回路が出力した曇り除去加熱信号を受信し、化粧鏡鏡面に対し曇り除去加熱を行うか曇り除去加熱を中止する、曇り除去加熱器と、により構成されることを特徴とする化粧鏡の自動曇り除去装置としている。
請求項２の考案は、請求項１記載の化粧鏡の自動曇り除去装置において、前記光電センサーは少なくとも、送信器と受信器を具えることを特徴とする化粧鏡の自動曇り除去装置としている。
請求項３の考案は、請求項２記載の化粧鏡の自動曇り除去装置において、前記光電センサーの送信器は送信信号を送信することを特徴とする化粧鏡の自動曇り除去装置としている。
請求項４の考案は、請求項２記載の化粧鏡の自動曇り除去装置において、前記光電センサーの受信器は反射信号を受信することを特徴とする化粧鏡の自動曇り除去装置としている。
請求項５の考案は、請求項１記載の化粧鏡の自動曇り除去装置において、前記曇り除去制御回路は、
光電センサーに接続して光電センサーを駆動し、並びに光電センサーが出力したセンサー信号をデジタル信号に変換して出力するセンサーインターフェース回路と、
センサーインターフェース回路に接続して、デジタル信号を受信、デジタル信号によって化粧鏡鏡面表面が結霧しているかどうかを判断、並びに曇り除去駆動信号を出力する、マイクロ処理器と、
マイクロ処理器に接続し、マイクロ処理器が出力した曇り除去駆動信号を受信、並びに曇り除去駆動信号に基づき曇り除去加熱信号を出力する、駆動回路と、
センサーインターフェース回路、マイクロ処理器、駆動回路が必要とする直流作業電源を提供する、電源供給器とにより構成されることを特徴とする化粧鏡の自動曇り除去装置としている。
請求項６の考案は、請求項５記載の化粧鏡の自動曇り除去装置において、前記電源供給器は直流電池であることを特徴とする化粧鏡の自動曇り除去装置としている。
請求項７の考案は、請求項５記載の化粧鏡の自動曇り除去装置において、前記電源供給器は交直流電源変換器であることを特徴とする化粧鏡の自動曇り除去装置としている。
請求項８の考案は、請求項１記載の化粧鏡の自動曇り除去装置において、前記曇り除去加熱器は印刷電熱線であることを特徴とする化粧鏡の自動曇り除去装置としている。
【考案の効果】
【０００９】
本考案の化粧鏡の自動曇り除去装置は、光電センサーを具え、化粧鏡面と隔離し接触しない方法によって化粧鏡鏡面の曇り状態を精確に感知する効果を持ち、また、曇り除去制御回路および曇り除去加熱器を具え、その曇り除去制御回路は光電センサーおよび曇り除去加熱器に接続して、光電センサーが感知した化粧鏡鏡面の曇り状態を入力し、並びに曇り除去加熱器を制御して化粧鏡鏡面の曇り除去作業を行わせ、更に光電センサーが化粧鏡鏡面の曇り状態をフィードバックすることにより閉回路の化粧鏡鏡面の自動曇り除去効果を達成することを特徴とする。
【考案を実施するための最良の形態】
【００１０】
まず、図１、図２、図３、図４を参照にすると、本考案の化粧鏡の自動曇り除去装置100は、少なくとも、光電センサー10、曇り除去制御回路20、曇り除去加熱器30を含み、その内、光電センサー10は、化粧鏡200背面に設置し、光電センサー10に対応する箇所の反射層210局部は取り除き（図２、図３参照）、光電センサー10が化粧鏡200表面を感知できるようにしてあり、光電センサー10は少なくとも、送信器11と受信器12を具え、送信器11は外方向に送信信号111を送信、並びに、受信器12は送信信号111が反射によって生じた反射信号121を受信することにより、光電センサー10はセンサー信号13を発生して、化粧鏡200表面の曇り状態を反映する。図５に示したとおり、化粧鏡200鏡面表面に結霧220が発生すると、結霧220に送信された送信信号111が結霧220にぶつかり反射信号121を反射し、受信器12が受信してセンサー信号13を発生、センサー信号13は化粧鏡200鏡面が曇ったことを示し、それに反して、結霧220なしの場合は、センサー信号13は化粧鏡200鏡面が曇っていないことを示す。
【００１１】
図５に示すとおり、上述の曇り除去制御回路20は化粧鏡200周辺に設置するものとし、本考案が開示した良好の実施例では、化粧鏡200の背面に設けてあり、曇り除去制御回路20は、センサーインターフェース回路21、マイクロ処理器22、駆動回路23、電源供給器24を含み、センサーインターフェース回路21は光電センサー10に接続して光電センサー10を駆動し、並びに光電センサー10が出力したセンサー信号13をデジタル信号211に変換して出力、マイクロ処理器22は、前記センサーインターフェース回路21に接続して、デジタル信号211を受信、デジタル信号211によって化粧鏡200鏡面表面が結霧220しているかどうかを判断、並びに曇り除去駆動信号221を出力、駆動回路23はマイクロ処理器22に接続し、マイクロ処理器22が出力した曇り除去駆動信号221を受信、並びに曇り除去駆動信号221に基づき曇り除去加熱信号231を出力、前記した電源供給器24の形態には制限はなく、本考案においては直流電池もしくは交直流電源変換器とし、前述したセンサーインターフェース回路21、マイクロ処理器22、駆動回路23が必要とする直流作業電源を提供する。
【００１２】
前述した曇り除去加熱器30は化粧鏡200の背面に結合し、曇り除去加熱器30の形態には制限を設けないが、本考案においては印刷電熱線を例としており、化粧鏡200背面に直接印刷し、また曇り除去加熱器30は、曇り除去制御回路20の駆動回路23に接続し、駆動回路23が出力した曇り除去加熱信号231を受信、並びに曇り除去加熱信号231に基づき、化粧鏡200鏡面を曇り除去加熱を行うか加熱せず曇り除去を中止する。
【００１３】
本考案の自動曇り除去装置100は、光電センサー10を用いた化粧鏡200の鏡面に接触しない方法であり、精確な光電センサー方法によって、曇り除去制御回路20のマイクロ処理器22は化粧鏡200鏡面に結霧220があるかどうかを自動的に判断し、更に曇り除去制御回路20が曇り除去加熱器30を駆動して化粧鏡200表面に曇り除去加熱作業を行い、並びに化粧鏡200表面を曇り除去加熱を行う過程において、光電センサー10は随時、化粧鏡200表面に対して光電センサーフィードバックを行い、光電センサー10が化粧鏡200表面の曇り除去が既に完了したことを感知すると、曇り除去制御回路20は曇り除去加熱器30による化粧鏡200表面に対する加熱を中止させることにより、化粧鏡200表面に対し自動的にセンサーと曇り除去を行う効果を達成する。
【図面の簡単な説明】
【００１４】
【図１】本考案を化粧鏡に結合応用した外観構造図である。
【図２】図１の側面図である。
【図３】本考案の光電センサーの正面図である。
【図４】光電センサーを化粧鏡背面に結合し、化粧鏡鏡面の曇り状態を感知している断面拡大図である。
【図５】本考案の曇り除去制御回路の回路ブロック図である。
【符号の説明】
【００１５】
10  光電センサー
100  自動曇り除去装置
11  送信器
111  送信信号
12  受信器
121  反射信号
13  センサー信号
20  曇り除去制御回路
21  センサーインターフェース回路
211  デジタル信号
22  マイクロ処理器
221  曇り除去駆動信号
23  駆動回路
231  曇り除去加熱信号
24  電源供給器
30  曇り除去加熱器
200  化粧鏡
210  反射層
220  結霧
【図１】
0003131120.tif 000003
【図２】
0003131120.tif 000004
【図３】
0003131120.tif 000005
【図４】
0003131120.tif 000006
【図５】
0003131120.tif 000007